(57)【要約】【課題】レンズの有効径を大きくできるレンズ支持体、レンズ駆動装置、カメラ及びカメラ付き携帯電話を提供する。【解決手段】本発明は、レンズを光軸方向に駆動するレンズ駆動装置１に用いられるレンズ支持体７であって、レンズバレル４は、円環状の基盤２１と、基盤２１の外周に沿って互いに間隔をあけて設け且つ基盤２１の外周縁から光軸方向に向けて延出する複数の一方側壁２３と、隣り合う一方側壁２３、２３間を塞ぐ閉塞壁２４とを有し、閉塞壁２４の内周面２４ａと一方側壁２３の内周面２３ａとが面一にしてあり、レンズ２は外周縁に間隔をあけて配置した複数の係合突部２ａを有し、一方側壁２３の先端部は閉鎖壁２４よりも光軸方向に突設してありこの先端部の内周側面に係合凹部２３ｄを有し、レンズ２の外周縁は閉鎖壁の内周面４ａに密着し且つレンズの係合突部２ａがレンズバレルの係合凹部２３ｄに係合して固定してある。【選択図】図１
2009169382.tif 000002
【特許請求の範囲】
【請求項１】
レンズを光軸方向に駆動するレンズ駆動装置に用いられるレンズ支持体であって、内周にレンズを固定したレンズバレルと、レンズバレルを装着するキャリアとを備え、レンズバレルは、円環状の基盤と、基盤の外周に沿って互いに間隔をあけて設け且つ基盤の外周縁から光軸方向に向けて延出する複数の一方側壁と、隣り合う一方側壁間を塞ぐ閉塞壁とを有し、閉塞壁の内周面と一方側壁の内周面とが面一にしてあり、レンズは外周縁に間隔をあけて配置した複数の係合突部を有し、一方側壁の先端部は閉鎖壁よりも光軸方向に突設してありこの先端部の内周側面に係合凹部を有し、レンズの外周縁は閉鎖壁の内周面に密着し且つレンズの係合突部がレンズバレルの係合凹部に係合して固定してあることを特徴とするレンズ支持体。
【請求項２】
一方側壁は周方向の側縁に嵌合部を有し、キャリアは環状のフランジと、フランジからレンズバレルの基盤側に向けて突出し且つレンズバレルの一方側壁間に配置される他方側壁を有し、他方側壁は一方側壁と対向する周方向の側縁に一方側壁の嵌合部と嵌合する被嵌合部を有し、キャリアの他方側壁間にレンズバレルの一方側壁を挿入して回動することにより一方側壁の嵌合部と他方側壁の被嵌合部とを嵌合固定することを特徴とする請求項１に記載のレンズ支持体。
【請求項３】
嵌合部は先端を基端よりも細くした楔形状の突部であり、被嵌合部は嵌合部が嵌合する楔形状の凹みとしてあることを特徴とする請求項２に記載のレンズ支持体。
【請求項４】
キャリアの他方側壁は、周方向に向けて突設した遮光部が設けてあり、レンズバレルの一方側壁側には遮光部と対向する側縁に遮光部に係合する凹部が設けてあり、遮光部の突設寸法が嵌合部の突設寸法よりも大きくしてあることを特徴とする請求項３に記載のレンズ支持体。
【請求項５】
嵌合部は基端から先端に向けて周方向に傾斜していることを特徴とする請求項２に記載のレンズ支持体。
【請求項６】
請求項１〜５の何れか一項に記載のレンズ支持体と、キャリアのフランジに接着固定した環状のコイルと、レンズ支持体の外周に配置した筐体と、コイルの外周に配置すると共に筐体の内周に固定したヨーク及びマグネットと、一端部をレンズ支持体に他端部を筐体に固定してレンズ支持体を筐体に対して光軸方向に移動自在に支持したスプリングとを備え、コイルに通電して生じる電磁力によりレンズ支持体をレンズの光軸方向に移動するレンズ駆動装置であって、レンズバレルは筺体に組みつけたキャリアに光軸方向一側から挿入して回動することによりキャリアに嵌合固定してあることを特徴とするレンズ駆動装置。
【請求項７】
請求項６に記載のレンズ駆動装置を備えることを特徴とするカメラ。
【請求項８】
請求項７に記載のカメラを搭載したことを特徴とするカメラ付き携帯電話。
【発明の詳細な説明】
【技術分野】
【０００１】
本発明は、小型カメラのレンズ駆動装置に用いられるレンズ支持体に関する。
【背景技術】
【０００２】
特許文献１には、筒状に形成したレンズバレルの内周にレンズを嵌合固定することが開示されている。
【０００３】
この特許文献１には、レンズとレンズバレルとの嵌合固定について、詳細に記載されていないが、一般的には、レンズの外周縁全体に亘って取り付け代を設け、レンズバレルの内周に嵌め込んだ後、レンズの取り付け代とレンズバレルの内周面とに塗布した接着剤で固定している。
【０００４】
特許文献２には、レンズバレルをキャリアに装着してキャリアを移動することにより、焦点を調整するレンズ駆動装置が開示されている。この種のレンズバレル内には、複数のレンズが収納されており、特に、被写体の結像領域を広くする為に結像側のレンズの有効径を大きくすることが望まれている。
【０００５】
【特許文献１】特開平９−１９７２３５号公報
【特許文献２】特開２００７−１４３２１０号公報
【発明の開示】
【発明が解決しようとする課題】
【０００６】
しかし、レンズの有効径を大きくするとレンズバレルの径が大きくなる為、装置が大型化しないように、レンズバレルの外径は一定としながらレンズの有効径を大きくすることが望まれている。
【０００７】
特に、携帯電話等に搭載される小型カメラにあっては、更なるカメラの小型化の要求や結像領域を広くする要求が高い。
【０００８】
そこで、本発明は、レンズの有効径を大きくできるレンズ支持体、レンズ駆動装置、カメラ及びカメラ付き携帯電話の提供を目的とする。
【課題を解決するための手段】
【０００９】
請求項１に記載の発明は、レンズを光軸方向に駆動するレンズ駆動装置に用いられるレンズ支持体であって、内周にレンズを固定したレンズバレルと、レンズバレルを装着するキャリアとを備え、レンズバレルは、円環状の基盤と、基盤の外周に沿って互いに間隔をあけて設け且つ基盤の外周縁から光軸方向に向けて延出する複数の一方側壁と、隣り合う一方側壁間を塞ぐ閉塞壁とを有し、閉塞壁の内周面と一方側壁の内周面とが面一にしてあり、レンズは外周縁に間隔をあけて配置した複数の係合突部を有し、一方側壁の先端部は閉鎖壁よりも光軸方向に突設してありこの先端部の内周側面に係合凹部を有し、レンズの外周縁は閉鎖壁の内周面に密着し且つレンズの係合突部がレンズバレルの係合凹部に係合して固定してあることを特徴とする。
【００１０】
請求項２に記載の発明は、請求項１に記載の発明において、一方側壁は周方向の側縁に嵌合部を有し、キャリアは環状のフランジと、フランジからレンズバレルの基盤側に向けて突出し且つレンズバレルの一方側壁間に配置される他方側壁を有し、他方側壁は一方側壁と対向する周方向の側縁に一方側壁の嵌合部と嵌合する被嵌合部を有し、キャリアの他方側壁間にレンズバレルの一方側壁を挿入して回動することにより一方側壁の嵌合部と他方側壁の被嵌合部とを嵌合固定することを特徴とする。
【００１１】
請求項３に記載の発明は、請求項２に記載の発明において、嵌合部は先端を基端よりも細くした楔形状の突部であり、被嵌合部は嵌合部が嵌合する楔形状の凹みとしてあることを特徴とする。
【００１２】
請求項４に記載の発明は、請求項３に記載のレンズ支持体において、キャリアの他方側壁は、周方向に向けて突設した遮光部が設けてあり、レンズバレルの一方側壁側には遮光部と対向する側縁に遮光部に係合する凹部が設けてあり、遮光部の突設寸法が嵌合部の突設寸法よりも大きくしてあることを特徴とする。
【００１３】
請求項５に記載の発明は、請求項２に記載の発明において、嵌合部は基端から先端に向けて周方向に傾斜していることを特徴とする。
【００１４】
請求項６に記載の発明は、請求項１〜５の何れか一項に記載のレンズ支持体と、キャリアのフランジに接着固定した環状のコイルと、レンズ支持体の外周に配置した筐体と、コイルの外周に配置すると共に筐体の内周に固定したヨーク及びマグネットと、一端部をレンズ支持体に他端部を筐体に固定してレンズ支持体を筐体に対して光軸方向に移動自在に支持したスプリングとを備え、コイルに通電して生じる電磁力によりレンズ支持体をレンズの光軸方向に移動するレンズ駆動装置であって、レンズバレルは筺体に組みつけたキャリアに光軸方向一側から挿入して回動することによりキャリアに嵌合固定してあることを特徴とするレンズ駆動装置である。
【００１５】
請求項７に記載の発明は、請求項６に記載のレンズ駆動装置を備えることを特徴とするカメラである。
【００１６】
請求項８に記載の発明は、請求項７に記載のカメラを搭載したことを特徴とするカメラ付き携帯電話である。
【発明の効果】
【００１７】
請求項１に記載の発明によれば、レンズバレルの一方側壁と閉鎖壁との内周面がレンズバレルの内周面となり、レンズの係合突部（取り付け代）は、一方側壁の内周面に形成した係合凹に係合固定してあるから、レンズの有効径をレンズバレルの内周面と略一致する寸法にできるので、レンズの有効径を大きくすることができる。
【００１８】
レンズの係合突部（取り付け代）は、レンズの外周全体に亘って設けずに、隣り合う係合突部が間隔をあけて配置してあり、且つレンズバレルの一方側壁には閉鎖壁よりも突設した先端部に係合凹部を形成してあるので、レンズの係合突部の寸法が多少大きい場合でも係合凹部に嵌め入れる時に弾性変形させて嵌め入れできるので、取り付け易い。また、接着剤で係合突部を固定する場合には、係合凹部を接着剤溜まりにできるので、接着剤がレンズの有効径側に食み出すのを防止できる。
【００１９】
請求項２に記載の発明によれば、請求項１に記載の作用効果を奏することができると共に、レンズバレルは、キャリアに対してレンズの光軸方向に沿って挿入することにより、キャリアの他方側壁間にレンズバレルの一方側壁を挿入して一方側壁の嵌合部と他方側壁の嵌合部とを対向配置し、次にレンズバレルを所定角度（例えば数度）回動して、一方側壁の嵌合部に他方側壁の被嵌合部を嵌合することにより、キャリアにレンズバレルを嵌合固定する。これにより、レンズバレルを従来のように一回転以上回して装着することがないので、レンズ支持体の組立てが容易である。
【００２０】
レンズバレルやキャリアに従来のようなねじ溝を形成しないので、これらの周壁の肉厚を小さくでき、外径を従来と同じ寸法の設計とした場合には、レンズ径を従来よりも大きくできる。レンズ径を大きくすることにより、レンズの光軸にイメージセンサを設ける場合に、画素数の大きなイメージセンサ（面積の大きなイメージセンサ）に対応することができる。
【００２１】
更に、レンズバレルの一方側壁はキャリアの他方側壁の間に配置されるから、レンズバレルとキャリアの壁とに径方向の重なりがないので、その分レンズ径を大きくすることができる。
【００２２】
例えば、キャリアにコイルを接着固定して周囲にスプリング等を配置してキャリアをモータ駆動により光軸方向に駆動するレンズ駆動装置に用いた場合に、コイルやマグネット等のモータ部に不具合が生じた場合に、レンズバレルとキャリアとの嵌合を外すことにより、レンズバレルのみを取り出して再利用したり又はレンズに不具合がある場合には他のレンズバレルと交換して用いることができる。
【００２３】
請求項３に記載の発明によれば、請求項２に記載の作用効果を奏することができると共に、嵌合部と被嵌合部との嵌め合いをスムーズに行うことができる。
【００２４】
請求項４に記載の発明によれば、請求項３に記載の作用効果を奏することができると共に、キャリアに対してレンズバレルを周方向に回転して嵌合部を被嵌合部に嵌め入れると、レンズバレルの一方側壁とキャリアの他方側壁との間に光軸方向の隙間ができるが、この隙間を遮光部で遮蔽できる。従って、レンズの光軸にイメージセンサを設ける場合に、イメージセンサ側に光が漏れるのを防止できる。
【００２５】
請求項５に記載の発明によれば、請求項２に記載の作用効果を奏することができると共に、嵌め合い量を変えることで、キャリアに対するレンズバレルの光軸方向における位置調整ができる。
【００２６】
請求項６に記載の発明によれば、請求項１〜５の何れか一項に記載の作用効果を奏すると共に、キャリアに固定したコイルや、筺体内においてキャリアの周囲に配置するヨーク、スプリング等のモータ部分に不具合や損傷があった場合、又はレンズに不具合や損傷があった場合に、レンズ駆動装置の組立て後においても、レンズバレルのみを取外して、レンズバレルを交換したり、或いは再利用することができる。
【００２７】
請求項７に記載の発明によれば、請求項６に記載の作用効果を奏するカメラを提供できる。
【００２８】
請求項８に記載の発明によれば、請求項７に記載の作用効果を奏するカメラ付き携帯電話を提供できる。
【発明を実施するための最良の形態】
【００２９】
以下に、添付図面の図１〜図１０を参照して本発明の第１実施の形態を説明する。図１は本発明の実施の形態に係るレンズバレルにレンズ（結像側レンズ）を装着する前の状態を示す斜視図であり、図２はレンズを装着したレンズバレルの縦断面図であり、図３はレンズ支持体と、前側スプリング及び後側スプリングを抜き出して示す分解斜視図であり、図４はレンズ支持体におけるキャリアとレンズバレルとが嵌め合う前の状態を示す側面図であり、図５はレンズ支持体の分解斜視図であり、図６の（ａ）（ｂ）は、各々異なる方向から見たレンズ支持体の斜視図であり、（ｃ）（ｄ）は各々レンズバレルを異なる方向から見た斜視図であり、図７はレンズ支持体に前側スプリングと後側スプリングとを取付けた状態を後側から見た斜視図であり、図８はレンズ駆動装置にレンズバレルを組み付ける前の状態を示す斜視図であり、図９はレンズ駆動装置の分解斜視図であり、図１０はレンズ駆動装置の断面図である。尚、図１及び図２以外の図においては、説明を分かり易くする為、レンズを省略して示している。
【００３０】
第１実施の形態に係るレンズ駆動装置１は、携帯電話に組み込まれるオートフォーカスカメラのレンズ駆動装置である。このレンズ駆動装置１は、図９及び図１０に示すように、環状のヨーク３と、キャリア８と、前側スプリング９と、後側スプリング（スプリング）１１と、ヨーク３の後側に配置される後側筐体部（筐体）５と、ヨーク３の前側に配置される前側筐体部（筐体）６と、レンズバレル４とを備えており、図３〜６に示すように、キャリア８とレンズバレル４とでレンズ支持体７を構成している。レンズ支持体７のキャリア８には、外周にコイル１５（図１０参照）が固定されている。また、図９に示すように、ヨーク３と後側スプリング１１との間には絶縁体（スペーサ）１７が配置されている。このレンズ駆動装置１は、縦横が約１０ｍｍ、高さが約３．５ｍｍで非常に小さいものである。
【００３１】
ヨーク３は前側から見て外周が平面視四角形であり、内周が平面視円形になっており、図１０に示すように、外周壁３ａと、内周壁３ｂと、外周壁３ａと内周壁３ｂとを連結する連結壁３ｃとからなり、外周壁３ａと内周壁３ｂと連結壁３ｃとで断面がコ字形状又はＵ字形状を成している。
【００３２】
ヨーク３の各角部１４において、外周壁３ａの内周面にはマグネット１３が固定されている。マグネット１３は、角部１４のみに設けてあり、内周壁３ｂに形成された切除部１２に対応する位置にはない。
【００３３】
レンズ支持体７は、ヨーク３の内周側を光軸方向（前後方向）に移動自在に設けられている。このレンズ支持体７は、レンズを内周側に収納したレンズバレル４と、レンズバレル４を嵌合固定するキャリア８とから構成されている（図３参照）。
【００３４】
図１〜図４に示すように、レンズバレル４は、円環状の基盤２１と、基盤２１の外周に沿って互いに間隔をあけて設け且つ基盤２１の外周縁２１ａから光軸方向に向けて延出する複数の一方側壁２３と、隣り合う一方側壁２３間を塞ぐ閉塞壁２４とを備えている。図１に示すように、閉塞壁２４の内周面２４ａと一方側壁２３の内周面２３ａとが面一にしてあり、基盤２１の中央穴は受光孔となっている。尚、本実施の形態では、基盤２１、一方側壁２３及び閉鎖壁２４とは一体成形により製造されている。
【００３５】
図１に示すように、レンズ２は外周縁に間隔をあけて配置した複数の係合突部（取り付け代）２ａを有しており、一方側壁２３の先端部２３ｃは閉鎖壁２４よりも光軸方向後側（結像側）に突設している。この先端部２３ｃの内周側面にレンズ２の係合凹部２３ｄが形成してあり、レンズの係合突部２ａが係合するようになっている。
【００３６】
レンズ２の外周縁は閉鎖壁２４の内周面２４ａ及び一方側壁２３の内周面２３ａに密着し且つレンズの係合突部２ａが一方側壁２３の係合凹部２３ｄに入り込んで固定してある。係合凹部２３ｄは、レンズ２の係合突部２ａを後側（結像側）から挿入する溝状になっている。
【００３７】
図２に示すように、レンズバレル４内には３個のレンズが装着されているが、図１に示すレンズ２は結像側のレンズであり、図１では被写体側の２つのレンズを省略して示している。即ち、本発明に係るレンズ２は結像側のレンズである。
【００３８】
一方側壁２３は、周方向の一側に周方向に突設した嵌合凸部（嵌合部）２５を有している。嵌合凸部２５は、図４に拡大して示すように、突出した先端の幅が基端よりも細くした楔形状となっている。
【００３９】
尚、レンズバレル４において、基盤２１の前側には、組み付け時に把持する為の把持部４ｃが設けてある（図４及び図６参照）。
【００４０】
図５に示すように、キャリア８は環状のフランジ２７と、フランジ２７の内周縁２７ａに外周面を一致させた他方側壁２９とを有している。他方側壁２９はフランジ２７からレンズバレル４の基盤２１に向けて突出しており、隣り合う他方側壁２９、２９間の間隔はレンズバレル４の一方側壁２３の周方向の幅（嵌合凸部２５を含む）と略同等の寸法になっている。
【００４１】
他方側壁２９において、周方向の側部には、一方側壁の嵌合凸部２５と嵌合する嵌合凹部（被嵌合部）３１が形成されている。嵌合凹部３１は嵌合凸部２５と同じ楔形状の凹みである。一方側壁２３の嵌合凸部２５と他方側壁２９の嵌合凹部３１とにより、キャリア８の他方側壁２９、２９間にレンズバレル４の一方側壁２３を挿入してわずかに（数度）回動することにより一方側壁２３の嵌合凸部２５と他方側壁２９の嵌合凹部３１とが嵌合固定するようになっている。
【００４２】
尚、一方側壁２３と他方側壁２９との厚みは、本実施の形態では略同一である。
【００４３】
図３に示すように、他方側壁２９の前側端には前側スプリング９の位置決め凹部３９に嵌合する位置決め突部３３が前側に突設している。
【００４４】
また、図６に示すように、レンズバレル４をキャリア８に組み付けた状態では、レンズバレル４の一方側壁２３の内周面及び外周面は、キャリア８における他方側壁２９の内周面及び外周面と各々面一になっている。
【００４５】
レンズ支持体７において、キャリア８の外周に設けたコイル固定部２２（図６及び図１０参照）には環状のコイル１５が接着剤により固定される。
【００４６】
図１０に示すように、コイル１５は、ヨーク３の外周壁３ａと内周壁３ｂとの間に配置するが、マグネット１３がある角部１４（図９参照）ではマグネット１３と内周壁３ｂとの間に位置し、レンズ支持体７と共にヨーク３内を前後方向に移動するようになっている。
【００４７】
図３に示すように、前側スプリング９は外周形状が平面視四角形の環状の板ばねであり、内周側部９ａと外周側部９ｂとが設けてあり、内周側部９ａの内周縁には位置決め凹部３９が形成してありキャリアの他方側壁２９の前端に設けた突部３３に係合してレンズ支持体７に取付けてあり、外周側部９ｂはヨーク３と前側筐体部６との間に挟持して固定されている（図１０参照）。内周側部９ａと外周側部９ｂとは弾性変形可能な腕部９ｃにより連結してある。
【００４８】
後側スプリング１１は、図３及び図９に示すように、全体として環状の板ばねであるが、本実施の形態では、左右に分割した一方側部３０と他方側部３２とから構成されている。後側スプリング１１の各外周側部（他端部）１１ｂ、１１ｂは、絶縁体（図９参照）１７を介して後側筐体部５とヨーク３との間に挟持されており、絶縁体１７は後側スプリング１１とヨーク３との間の電気的絶縁を図っている。各内周側部（一端部）１１ａ、１１ａは、キャリア８のフランジ部２７の後端に固定してある。後側スプリング１１の各内周側部１１ａと外周側部１１ｂとは弾性変形可能な腕部１１ｃにより連結してある。尚、図３及び図７において、後側スプリング１１には、枠３８が取付けてあり、枠３８は後側スプリング１１をレンズ支持体７に組み付け後、切除する。図９には枠３８を切除した後の状態を示している。
【００４９】
図３に示すように、後側スプリング１１の内周側部１１ａの内周縁には外周側に凹んだ凹部３７が形成してあり、この凹部３７にフランジ２７に設けた位置決め突部２８が嵌合する。
【００５０】
本実施の形態では、後側スプリング１１を構成する一方側部３０には端子４３が形成されており、他方側部３２には端子４５が形成されて、各端子４３、４５が電源供給端子に接続されるようになっている。尚、一方側部３０と他方側部３２とは、各々コイル１５にハンダ付け等により電気的に接続されており、後側スプリング１１からコイル１５に通電するようになっている。
【００５１】
次に、本発明の実施の形態に係るレンズ駆動装置１の組立て、作用及び効果について説明する。レンズバレル４へのレンズ２の組み付けは、図１に示すように、レンズ２の係合突部２ａを一方側壁２３の後側から係合凹部２３ｄに挿入して嵌合固定する。尚、係合部２３ｄにおいて係合突部２ａを接着剤で接着しても良く、この場合、係合凹部２３ｄは接着剤溜まりとしても作用し、接着剤がレンズの有効径Ｈ側へ食み出すのを防止できる。尚、言うまでもなく、レンズ（後側のレンズ）２の組み付け前に、２つの前側のレンズをバレル４に組み付けておく（図２参照）。
【００５２】
レンズ駆動装置１の組立ては、後側筐体部５に後側スプリング１１、スペーサ１７、マグネット１３を内部に固定したヨーク３、コイル１５を固定したキャリア８、前側スプリング９及び前側筐体部６を組み付ける。キャリア８の後側端に設けた位置決め突部２８を後側スプリングの凹部３７に嵌合してキャリア８と後側スプリング１１を係止し、キャリア８の前側端に設けた突部３３に前側スプリング９の位置決め凹部３９を嵌合して前側スプリング９を係止する。
【００５３】
その後、各部の必要箇所を接着剤で固定した後、図８に示すように、レンズバレル４を前側筺体６側からキャリア８に挿入して嵌合固定する。
【００５４】
レンズバレル４とキャリア８との嵌合固定は、図４及び図５に示すように、キャリア８の他方側壁２９、２９間にレンズバレル４の一方側壁２３を挿入し、挿入後にレンズバレル４をキャリア８に対して回動することより、図６（ａ）（ｂ）に示すように、他方側壁の嵌合凹部３１にレンズバレル４の嵌合凸部２５が嵌合固定される。
【００５５】
この第１実施の形態によれば、レンズバレル４の一方側壁２３と閉鎖壁２４との内周面がレンズバレル４の面一の内周面となり、レンズ２の係合突部（取り付け代）２ａは、一方側壁２３の内周面に形成した係合凹２３ｄに係合固定してあるから、レンズ２の有効径Ｈ（図１参照）をレンズバレル４の内周面の径と略一致する寸法にでき、レンズの有効径Ｈを従来よりも大きくすることができる。例えば、従来のレンズの有効径Ｈが４．８ｍｍであったものを、本実施の形態によれば、有効径Ｈを５．９ｍｍにすることができた。
【００５６】
レンズ２の係合突部２ａは、レンズ２の外周全体に亘って設けずに、隣り合う係合突部２ａが間隔をあけて配置してあり且つレンズバレル４の一方側壁２３には閉鎖壁２４よりも突設した先端部に係合凹部２３ｄを形成してあるので、レンズ２の係合突部２ａの突設寸法が多少大きい場合でも係合凹部２３ｄに嵌め入れる時に弾性変形させて嵌め入れできるので、取り付け易い。また、接着剤で係合突部２ａを固定する場合には、係合凹部２３ｄが接着剤溜まりとして作用するので、接着剤がレンズ２の有効径Ｈ側に食み出すのを防止できる。
【００５７】
レンズバレル４は、レンズの光軸方向に沿ってキャリア８に挿入し、キャリア８の他方側壁２９、２９間にレンズバレル４の一方側壁２３を挿入し、一方側壁２３の嵌合凸部２５と他方側壁２９の嵌合凹部３１とを対向配置する。次にレンズバレル４を所定角度（数度）回動して、一方側壁２３の嵌合凸部２５を他方側壁２９の嵌合凹部３１に嵌合することにより、キャリア８にレンズバレル４を嵌合固定するから、レンズバレル４を従来のように一回転（３６０度）以上回して装着することがないのでレンズ駆動装置１の組立てが容易である。
【００５８】
また、嵌合凸部２５は先端を細くした楔形状としているので、嵌合凹部３１との嵌め合いが容易にできる。
【００５９】
レンズバレル４の外周面やキャリア８の内周面に、従来のようなねじ溝を形成しないので、その分これらの肉厚を小さくでき、レンズ支持体７の外径が従来と同じ寸法の設計でありながら、レンズ２の径を従来よりも大きくできる。レンズ径を大きくすることにより、画素数の大きなイメージセンサに対応することができる。イメージセンサは、レンズの結像位置に設けて、受けた画像を画像信号に変換するものである。
【００６０】
更に、レンズバレル４の一方側壁２３はキャリア８の他方側壁２９、２９の間に配置されるから、一方側壁２３と他方側壁２９とに径方向の重なりがないので、その分レンズ径を大きくすることができる。
【００６１】
キャリア８にコイル１５を接着固定して、その周囲にマグネット１３等を配置してキャリア８を光軸方向に駆動するレンズ駆動装置１では、コイル１５やスプリング９、１１等に不具合が生じた場合に、レンズバレル４とキャリア８との嵌合を外すことにより、レンズバレル４のみを前側から取り出して再利用したり又はレンズ２に不具合がある場合には他のレンズバレル４と交換して用いることができる。
【００６２】
以下に、本発明の他の実施の形態を説明するが、以下に説明する実施の形態において、上述した実施の形態と同一の作用効果を奏する部分には、同一の符号を付してその部分の詳細な説明を省略、以下の説明では、上述した第１実施の形態と主に異なる点を説明する。
【００６３】
図１１に第２実施の形態を示している。図１１は図４に対応する図であり、レンズ支持体におけるキャリア８とレンズバレル４とが嵌め合う前の状態を示す側面図であり、この第２実施の形態では、嵌合凸部２５は楔状でなく、基端から先端にかけて略同じ幅になっており且つ嵌合凸部２５は基端から先端に向けて周方向に沿って傾斜している。また、嵌合凸部２５の後側と前側とにはぎざぎざ２５ａが設けてあると共に嵌合凹部（被嵌合部）３１にもギザギザ３１ａが形成してあり、嵌合凸部２５が嵌合凹部３１に嵌合した時に任意の位置で互いにギザギザが歯合して係止できるようにしている。
【００６４】
この第２実施の形態によれば、レンズ支持体７の組立て時に、キャリア８の他方側壁２９に形成された嵌合凹部３１に対するレンズバレル４の嵌合部２５の嵌め合い量を変えることで、キャリア８に対するレンズバレル４の光軸方向における位置調整ができる。
【００６５】
図１２に第３実施の形態を示す。この第３実施の形態では、第１実施の形態に係るレンズ支持体７において、キャリア８の他方側壁２９は、周方向に向けて突設した遮光部４０が設けてあり、他方側壁２９の周方向の縁が略Ｌ字形状を成している。レンズバレル４の一方側壁側２３の側縁に遮光部４０に係合する凹部４１が設けてあり、遮光部４０の突設寸法Ｔが嵌合凸部２５の突設寸法ｈよりも大きくしてある。
【００６６】
この第３実施の形態によれば、キャリア８に対してレンズバレル４を周方向に回転して嵌合凸部２５を嵌合凹部（被嵌合部）３１に嵌め入れると、レンズバレルの一方側壁２３とキャリアの他方側壁２９との間に、回転した寸法分（嵌合凸部の寸法ｈ）だけ光軸方向の隙間４３ができるが、この隙間４３（寸法ｈ）を遮光部４０で遮蔽できる。従って、レンズ２の光軸にイメージセンサを設ける場合に、イメージセンサ側に光が漏れるのを防止できる。
【００６７】
本発明は、上述した実施の形態に限らず、本発明の要旨を逸脱しない範囲で種々変形可能である。
【００６８】
例えば、一方側壁２３の嵌合凸部２５を嵌合凹部とし、他方側壁２９の嵌合凹部３１を嵌合凸部として互いに嵌合させるものであっても良い。
【００６９】
上述の実施形態では、把持部４ｃはレンズバレル４の基板２１から前側に突設しているが、これに代えて、図１３に示すように、基板２１の前面に複数の把持用穴５１を形成しても良い。この変形例では、把持用穴５１にピンセット等の把持具を差し込んで、レンズバレル４を把持して装置を組み立てることができる。本変形例によれば、レンズバレル４の厚みを把持部４ｃの厚み分だけ薄くできるので装置の更なる小型化を図ることができる。また、専用の治具を必要とせず、ピンセット等の汎用の治具を用いて、装置を組み立てることができる。
【図面の簡単な説明】
【００７０】
【図１】第１実施の形態に係るレンズバレルにレンズを装着する前の状態を示す斜視図である。
【図２】レンズを装着したレンズバレルの縦断面図である。
【図３】レンズ支持体と、前側スプリング及び後側スプリングを抜き出して示す分解斜視図である。
【図４】レンズ支持体におけるキャリアとレンズバレルとが嵌め合う前の状態を示す側面図である。
【図５】レンズ支持体の分解斜視図である。
【図６】（ａ）（ｂ）は、各々異なる方向から見たレンズ支持体の斜視図であり、（ｃ)（ｄ）は各々レンズバレルを異なる方向から見た斜視図である。
【図７】レンズ支持体に前側スプリングと後側スプリングとを取付けた状態を後側から見た斜視図である。
【図８】レンズ駆動装置にレンズバレルを組み付ける前の状態を示す斜視図である。
【図９】レンズ駆動装置の分解斜視図である。
【図１０】レンズ駆動装置の断面図である。
【図１１】第２実施の形態を示し、レンズ支持体におけるキャリア８とレンズバレル４とが嵌め合う前の状態を示す側面図である。
【図１２】第３実施の形態を示し、（ａ）はレンズ支持体の斜視図であり、（ｂ）はレンズバレルの斜視図である。
【図１３】変形例に係るレンズバレルの斜視図である。
【符号の説明】
【００７１】
１      レンズ駆動装置
２      レンズ
２ａ    係合突部
４      レンズバレル
７      レンズ支持体
８      キャリア
９      前側スプリング
１１    後側スプリング
２１    基盤
２３    一方側壁
２３ｄ  係合凹部
２５    嵌合凸部（嵌合部）
２７    フランジ
２９    他方側壁
３１    嵌合凹部（被嵌合部）
４０    遮光部
４１    凹部
【図１】
2009169382.tif 000003
【図２】
2009169382.tif 000004
【図３】
2009169382.tif 000005
【図４】
2009169382.tif 000006
【図５】
2009169382.tif 000007
【図６】
2009169382.tif 000008
【図７】
2009169382.tif 000009
【図８】
2009169382.tif 000010
【図９】
2009169382.tif 000011
【図１０】
2009169382.tif 000012
【図１１】
2009169382.tif 000013
【図１２】
2009169382.tif 000014
【図１３】
2009169382.tif 000015